(57)【要約】【課題】  複雑な回路構成を伴うことなく、複数のスイッチと複数の電子部品とをそれぞれ接続する接続基板を提供する。【解決手段】  複数の電子部品と、前記電子部品を制御する複数の制御手段と、制御手段と電子部品とを電気的に接続する複数の配線パターンとを備え、各制御手段から延びる配線パターンを複数に分岐させ複数の電子部品にそれぞれ接続するとともに、複数に分岐する各配線パターンの支流を選択的に断線させることによって、電気的に接続されるスイッチと電子部品との組み合わせを選択する配線基板において、各制御手段から延びる配線パターンを形成するとともに、各配線パターンの支流先端にそれぞれ形成された複数の出力端子を重ねて配置したプリント配線基板の出力端子と、複数の電子部品の入力端子とを接続することによって、複数の制御手段と複数の電子部品とをそれぞれ電気的に接続せしめるものである。【選択図】  図２
2006261430.tif 000002
【特許請求の範囲】
【請求項１】
複数の電子部品（２a〜２ｃ）と、前記電子部品を制御する複数の制御手段（１ａ〜１ｃ）と、制御手段と電子部品とを電気的に接続する複数の配線パターン（３ａ〜３ｃ）とを備え、各制御手段から延びる配線パターン（３ａ〜３ｃ）を複数に分岐させ複数の電子部品にそれぞれ接続するとともに、複数に分岐する各配線パターンの支流を選択的に断線させることによって、電気的に接続される制御手段と電子部品との組み合わせを選択する配線基板において、
複数の制御手段（１ａ〜１ｃ）と、制御手段毎に設けた配線パターン（３ａ〜３ｃ）と、複数に分岐する各配線パターン（３ａ〜３ｃ）の支流先端に形成され、配線パターン毎に重ねて配置される複数の出力端子（７ａ〜９ａ，７ｂ〜９ｂ，７ｃ〜９ｃ）とを備えるプリント配線基板（１０）の前記出力端子と、
複数の電子部品の入力端子（２１ａ〜２１ｃ）とを接続することによって、複数の制御手段と複数の電子部品とをそれぞれ電気的に接続せしめることを特徴とする配線基板。
【請求項２】
複数に分岐する配線パターン（３ａ〜３ｃ）が制御手段毎に並列配置され、各配線パターンの支流先端に出力端子（７ａ〜９ａ，７ｂ〜９ｂ，７ｃ〜９ｃ）がそれぞれ形成されるとともに、並列配置された各配線パターン（３ａ〜３ｃ）の間にスリット（１０ａ）を形成した１枚のプリント配線基板（１０）を折り曲げることによって、配線パターンの支流先端に形成された複数の出力端子（７ａ〜９ａ，７ｂ〜９ｂ，７ｃ〜９ｃ）を各配線パターン毎に重ねて配置し、
前記プリント配線基板の複数の出力端子（７ａ〜９ａ，７ｂ〜９ｂ，７ｃ〜９ｃ）を、複数の電子部品の入力端子（２１ａ〜２１ｃ）にそれぞれ接続することによって、複数の制御手段と複数の電子部品とをそれぞれ電気的に接続せしめることを特徴とする請求項１に記載の配線基板。
【請求項３】
１つの制御手段と、前記制御手段からつながり複数に分岐する配線パターンと、前記配線パターンの支流先端にそれぞれ形成される出力端子とを備えるプリント配線基板を複数積層することによって（１１〜１３）、各配線パターン（３ａ〜３ｃ）の支流先端に形成された複数の出力端子（７ａ〜９ａ，７ｂ〜９ｂ，７ｃ〜９ｃ）を各配線パターン毎に重ねて配置し、
前記プリント配線基板の複数の出力端子（７ａ〜９ａ，７ｂ〜９ｂ，７ｃ〜９ｃ）を、複数の電子部品の入力端子（２１ａ〜２１ｃ）にそれぞれ接続することによって、複数の制御手段と複数の電子部品とをそれぞれ電気的に接続せしめることを特徴とする請求項１に記載の配線基板。
【請求項４】
複数の電子部品（２a〜２ｃ）と、前記電子部品を制御する複数の制御手段（１ａ〜１ｃ）と、制御手段と電子部品とを電気的に接続する複数の配線パターン（３ａ〜３ｃ）とを備え、各電子部品から延びる配線パターン（３ａ〜３ｃ）を複数に分岐させ複数の制御手段にそれぞれ接続するとともに、複数に分岐する各配線パターンの支流を選択的に断線させることによって、電気的に接続される制御手段と電子部品との組み合わせを選択する配線基板において、
複数の電子部品（２ａ〜２ｃ）と、電子部品毎に設けた配線パターン（３ａ〜３ｃ）と、複数に分岐する各配線パターン（３ａ〜３ｃ）の支流先端に形成され、配線パターン毎に重ねて配置される複数の入力端子（７ａ´〜９ａ´，７ｂ´〜９ｂ´，７ｃ´〜９ｃ´）とを備えるプリント配線基板（１０´）の前記入力端子と、
複数の制御手段の出力端子（２１ａ´〜２１´ｃ）とを接続することによって、複数の制御手段と複数の電子部品とをそれぞれ電気的に接続せしめることを特徴とする配線基板。
【請求項５】
複数に分岐する配線パターン（３ａ〜３ｃ）が電子部品毎に並列配置され、各配線パターンの支流先端に入力端子（７ａ´〜９ａ´，７ｂ´〜９ｂ´，７ｃ´〜９ｃ´）がそれぞれ形成されるとともに、並列配置された各配線パターン（３ａ〜３ｃ）の間にスリット（１０ａ´）を形成した１枚のプリント配線基板（１０´）を折り曲げることによって、配線パターンの支流先端に形成された複数の入力端子（７ａ´〜９ａ´，７ｂ´〜９ｂ´，７ｃ´〜９ｃ´）を各配線パターン毎に重ねて配置し、
前記プリント配線基板の複数の入力端子（７ａ´〜９ａ´，７ｂ´〜９ｂ´，７ｃ´〜９ｃ´）を、複数の制御手段の出力端子（２１ａ´〜２１ｃ´）にそれぞれ接続することによって、複数の制御手段と複数の電子部品とをそれぞれ電気的に接続せしめることを特徴とする請求項４に記載の配線基板。
【請求項６】
１つの電子部品と、前記電子部品からつながり複数に分岐する配線パターンと、前記配線パターンの支流先端にそれぞれ形成される入力端子とを備えるプリント配線基板を複数積層することによって（１１´〜１３´）、各配線パターン（３ａ〜３ｃ）の支流先端に形成された複数の入力端子（７ａ´〜９ａ´，７ｂ´〜９ｂ´，７ｃ´〜９ｃ´）を各配線パターン毎に重ねて配置し、
前記プリント配線基板の複数の入力端子（７ａ´〜９ａ´，７ｂ´〜９ｂ´，７ｃ´〜９ｃ´）を、複数の制御手段の出力端子（２１ａ´〜２１ｃ´）にそれぞれ接続することによって、複数の制御手段と複数の電子部品とをそれぞれ電気的に接続せしめることを特徴とする請求項４に記載の配線基板。
【発明の詳細な説明】
【技術分野】
【０００１】
本発明は、複数のスイッチと複数の電子部品とを電気的に接続する配線基板に関する。
【背景技術】
【０００２】
図７に示す配線基板にように、複数の電子部品と、各電子部品を制御する制御手段（例えばＯＮ／ＯＦＦ制御をするスイッチ）と、制御手段と電子部品とを電気的に接続する複数の配線パターンとを備え、各制御手段から延びる各配線パターンを複数に分岐させ複数の電子部品にそれぞれ接続するとともに、複数に分岐する各配線パターンの支流を選択的に断線させることによって、電気的に接続される制御手段と電子部品との組み合わせを選択することができる配線基板が知られている。（例えば特許文献１を参照）
【特許文献１】特開平５−１１０２１４号公報
【０００３】
図７に示す配線基板では、３つの制御手段（第１〜第３スイッチ）１０１ａ〜１０１ｃと、３つの電子部品（第１〜第３電子部品）１０２ａ〜１０２ｃと、前記第１〜３スイッチと第１〜３電子部品とを電気的に接続する第１〜第３配線パターン１０３ａ〜１０３ｃが同一基板上に形成され、第１スイッチ１０１ａから延びる第１配線パターン１０３ａが３つに分岐し、その先端がそれぞれ第１〜第３電子部品１０２ａ〜１０２ｃに接続されるとともに、第２スイッチ１０１ｂから延びる第２配線パターン１０３ｂが３つに分岐し、その先端がそれぞれ第１〜第３電子部品１０２ａ〜１０２ｃに接続され、さらに第３スイッチ１０１ｃから延びる第３配線パターン１０３ｃが３つに分岐し、その先端がそれぞれ第１〜第３電子部品１０２ａ〜１０２ｃに接続され、複数のスイッチと複数の電子部品とがそれぞれ接続されている。
そして、３つに分岐した第１配線パターン１０３ａの支流にそれぞれ形成された第１打抜部１０４ａ，１０５ａ、１０６ａと、３つに分岐した第２配線パターン１０３ｂの支流にそれぞれ形成された第２打抜部１０４ｂ，１０５ｂ、１０６ｂと、３つに分岐した第３配線パターン１０３ｃの支流にそれぞれ形成された第３打抜部１０４ｃ，１０５ｃ、１０６ｃとを選択的に打抜き、各配線パターン１０３ａ〜１０３ｃの支流を選択的に断線させることによって、第１〜第３スイッチ１０１ａ〜１０１ｃと第１〜第３電子部品１０３ａ〜１０３ｃとの組み合わせを任意に選択することができる。
例えば第１配線パターン１０３ａの２つの第１打抜部１０５ａ，１０６ａと、第２配線パターン１０３ｂの２つの第２打抜部１０４ｂ，１０６ｂと、第３配線パターン１０３ｃの２つの第３打抜部１０４ｃ，１０５ｃとを選択的に打抜いて断線させることによって、第１配線パターン１０３ａによって第１スイッチ１０１ａと第１電子部品１０２ａとを電気的に接続し、第２配線パターン１０３ｂによって第２スイッチ１０１ｂと第２電子部品１０２ｂとを電気的に接続し、第３配線パターン１０３ｃによって第３スイッチ１０１ｃと第３電子部品１０２ｃとを電気的に接続するように、各スイッチと各電子部品との組み合わせを任意に設計することができる。
【発明の開示】
【発明が解決しようとする課題】
【０００４】
しかしながら、複数のスイッチと複数の電子部品とをそれぞれ電気的に接続する場合、各スイッチから延びる配線パターンを交差させたり迂回させたりして配線しなければならず、回路が複雑であるといった問題点があった。
また配線パターンを交差させる場合、プリント配線基板に形成した回路同士の絶縁を図るために、一方の回路上を他方の回路が飛び越えて配線するための部品を実装しなければならず、前記部品をプリント配線基板に実装することによってプリント配線基板のコストアップとなっていた。
【０００５】
そこで、本発明は、複数のスイッチと複数の電子部品とを接続する配線基板において、回路の交差や迂回を伴うことなく各スイッチと各電子部品との電気的接続を図ることができる配線基板を提供するものである。
【課題を解決するための手段】
【０００６】
上述の目的を達成するため、本発明は、複数の電子部品と、前記電子部品を制御する複数の制御手段と、制御手段と電子部品とを電気的に接続する複数の配線パターンとを備え、各制御手段から延びる各配線パターンを複数に分岐させ複数の電子部品にそれぞれ接続するとともに、複数に分岐する各配線パターンの支流を選択的に断線させることによって、電気的に接続される制御手段と電子部品との組み合わせを選択する配線基板において、複数の制御手段と、制御手段毎に配置される配線パターンと、複数に分岐する各配線パターンの支流先端に形成され、配線パターン毎に重ねて配置される複数の出力端子とを備えるプリント配線基板の前記出力端子と、複数の電子部品の入力端子とを接続することによって、複数の制御手段と複数の電子部品とをそれぞれ電気的に接続せしめるものである。
または、複数の電子部品と、電子部品毎に設けた配線パターンと、複数に分岐する各配線パターンの支流先端に形成され、配線パターン毎に重ねて配置される複数の入力端子とを備えるプリント配線基板の前記入力端子と、複数の制御手段の出力端子とを接続することによって、複数の制御手段と複数の電子部品とをそれぞれ電気的に接続せしめるものである。
【発明の効果】
【０００７】
本発明による制御手段接続構造では、各制御手段（例えば、電子部品をＯＮ／ＯＦＦ制御するスイッチ）から延びる各配線パターンの支流先端の各出力端子を重ねるように積層し、重ねて配置される複数の出力端子を、電子部品を実装した実装基板の入力端子にそれぞれ接続することによって、複数のスイッチと複数の電子部品とをそれぞれ電気的に接続させるため、各スイッチから延びる配線パターンを迂回させたり交差させたりして回路設計する必要がない。
すなわち複雑な回路構成を伴うことなく、複数のスイッチと複数の電子部品とをそれぞれ接続することができるため、プリント配線基板の作成工程の簡便化とコストダウンを図ることができる。
【発明を実施するための最良の形態】
【０００８】
以下に、本発明の実施形態を図面を参照にして説明する。
【０００９】
この発明の第１実施例による配線基板について、図１及び図２を参照して説明する。
この実施例では、複数の電子部品と、前記電子部品をＯＮ／ＯＦＦ制御する制御手段（以下、スイッチという）と、スイッチと電子部品とを電気的に接続する複数の配線パターンとを備え、各スイッチから延びる各配線パターンを複数に分岐させ複数の電子部品にそれぞれ接続するとともに、複数に分岐する各配線パターンの支流を選択的に断線させることによって、電気的に接続されるスイッチと電子部品との組み合わせを選択する配線基板において、複数のスイッチ１ａ〜１ｃと、前記各スイッチから延びる配線パターン３ａ〜３ｃと、前記各配線パターン３ａ〜３ｃの支流先端に形成される複数の出力端子７ａ〜９ａ，７ｂ〜９ｂ，７ｃ〜９ｃとを備えるプリント配線基板１０と、複数の電子部品２ａ〜２ｃと、各電子部品の入力端子（第１電子部品の入力端子２１ａ，第２電子部品の入力端子，第３電子部品の入力端子２１ｃ）とを一枚の基板上に実装した実装基板２０とを使用し、前記プリント配線基板１０の出力端子７ａ〜９ａ，７ｂ〜９ｂ，７ｃ〜９ｃと実装基板２０の入力端子２１ａ〜２１ｃをそれぞれ接続することによって、複数のスイッチ１ａ〜１ｃと複数の電子部品２ａ〜２ｃとをそれぞれ電気的に接続する（図２を参照）。
【００１０】
図１を参照して、複数の電子部品２ａ〜２ｃが実装された実装基板２０の各入力端子２１ａ〜２１ｃに対応する出力端子を備えるプリント配線基板１０を説明する。
この実施例によるプリント配線基板１０は、図１（ａ）に示すように、３つのスイッチ（第１〜第３スイッチ）１ａ〜１ｃと、各スイッチから延びて３つに分岐する３つの配線パターン（第１〜第３配線パターン）３ａ〜３ｃと、各配線パターンの支流先端に形成される複数の出力端子７ａ〜９ａ，７ｂ〜９ｂ，７ｃ〜９ｃを備える。
この実施例では、第１スイッチ１ａから延びて３つに分岐する第１配線パターン３ａの支流先端に、実装基板２０の入力端子（第１〜第３入力端子）２１ａ〜２１ｃに対応する３つの出力端子（第１〜第３出力端子）７ａ，８ａ，９ａを形成し、第２スイッチ１ｂから延びて３つに分岐する第２配線パターン３ｂの支流先端に、実装基板２０の入力端子（第１〜第３入力端子）２１ａ〜２１ｃに対応する３つの出力端子（第１〜第３出力端子）７ｂ，８ｂ，９ｂを形成し、第３スイッチ１ｃから延びて３つに分岐する第３配線パターン３ｃの支流先端に、実装基板２０の入力端子（第１〜第３入力端子）２１ａ〜２１ｃに対応する３つの出力端子（第１〜第３出力端子）７ｃ，８ｃ，９ｃを形成した。また各スイッチ１ａ〜１ｃから延びて３つに分岐する各配線パターン３ａ〜３ｃを、スイッチ毎に並列配置した。
【００１１】
なお前記第１配線パターン３ａの支流先端に形成した第１〜第３出力端子７ａ，８ａ，９ａと、第２配線パターン３ｂの支流先端に形成した第１〜第３出力端子７ｂ，８ｂ，９ｂと、第３配線パターン３ｃの支流先端に形成した第１〜第３出力端子７ｃ，８ｃ，９ｃとを同ピッチ、同間隔になるように形成した。
【００１２】
そして第１〜第３配線パターン３ａ〜３ｃを並列配置したプリント配線基板１０において、図１（ｂ）に示すように、並列配置された各配線パターン３ａ〜３ｃの間にスリット１０ａを形成した後、図１（ｃ）に示すように、プリント配線基板１０を折り曲げることによって、各配線パターン３ａ〜３ｃの支流先端にそれぞれ形成された第１〜第３出力端子７ａ〜９ａ，７ｂ〜９ｂ，７ｃ〜９ｃを各配線パターン毎に重ねて配置した。
【００１３】
すなわち、可撓性のある基板上に複数のスイッチ１ａ〜１ｃを設けるとともに、各スイッチ１ａ〜１ｃから延びて複数に分岐する配線パターン３ａ〜３ｃをスイッチ毎に並列配置したプリント配線基板１０を使用し、並列配置された各配線パターン３ａ〜３ｃの間にスリット１０ａを形成した前記プリント配線基板１０を折り曲げることによって、各配線パターン３ａ〜３ｃの支流先端にそれぞれ形成されている第１〜第３出力端子７ａ〜９ａ，７ｂ〜９ｂ，７ｃ〜９ｃを各配線パターン毎に重ねて配置した。
【００１４】
そして図２に示すように、各配線パターン毎に重ねて配置されたプリント配線基板１０の３つの第１出力端子７ａ，７ｂ，７ｃと、実装基板２０の第１入力端子（第１電子部品の入力端子）２１ａとを接続するとともに、前記プリント配線基板基板１０の３つの第２出力端子８ａ，８ｂ，８ｃと、実装基板２０の第２入力端子（第２電子部品の入力端子）２１ｂとを接続し、前記プリント配線基板基板１０の３つの第３出力端子９ａ，９ｂ，９ｃと、実装基板２０の第３入力端子（第３電子部品の入力端子）２１ｃとをそれぞれ接続することによって、第１配線パターン３ａを介して第１スイッチ１ａと第１〜第３電子部品２ａ〜２ｃとを電気的に接続し、第２配線パターン３ｂを介して第２スイッチ１ｂと第１〜第３電子部品２ａ〜２ｃとを電気的に接続し、第３配線パターン３ｃを介して第３スイッチ１ｃと第１〜第３電子部品２ａ〜２ｃとを電気的に接続する。
【００１５】
なおこの実施例では、プリント配線基板１０の各出力端子と実装基板２０の入力端子をそれぞれ接続することによって、３つのスイッチ（第１〜第３スイッチ）１ａ〜１ｃと３つの電子部品（第１〜第３電子部品）２ａ〜２ｃとをそれぞれ電気的に接続するとともに、３つに分岐した第１配線パターン３ａの支流にそれぞれ形成された第１打抜部４ａ，５ａ、６ａと、３つに分岐した第２配線パターン３ｂの支流にそれぞれ形成された第２打抜部４ｂ，５ｂ、６ｂと、３つに分岐した第３配線パターン３ｃの支流にそれぞれ形成された第３打抜部４ｃ，５ｃ、６ｃとを選択的に打抜き、各配線パターン３ａ〜３ｃの支流を選択的に断線させることによって、各スイッチ（第１〜第３スイッチ）１ａ〜１ｃと各電子部品（第１〜第３電子部品）２ａ〜２ｃとの組み合わせを任意に選択することができる。
【００１６】
例えば、第１配線パターン３ａの２つの第１打抜部５ａ，６ａと、第２配線パターン３ｂの２つの第２打抜部４ｂ，６ｂと、第３配線パターン３ｃの２つの第３打抜部４ｃ，５ｃとを選択的に打抜いて断線させることによって、第１配線パターン３ａを介して第１スイッチ１ａと第１電子部品２ａとを電気的に接続し、第２配線パターン３ｂを介して第２スイッチ１ｂと第２電子部品２ｂとを電気的に接続し、第３配線パターン３ｃを介して第３スイッチ１ｃと第３電子部品２ｃとを電気的に接続するように、各スイッチと各電子部品との組み合わせを任意に設計することができる。
【００１７】
次に、図３を参照してこの発明の第２実施例を説明する。
この実施例では、複数のスイッチと、複数の電子部品と、スイッチと電子部品とを電気的に接続する複数の配線パターンとを備え、各スイッチから延びる各配線パターンを複数に分岐させ複数の電子部品にそれぞれ接続するとともに、複数に分岐する各配線パターンの支流を選択的に断線させることによって、電気的に接続されるスイッチと電子部品との組み合わせを選択する配線基板において、１つのスイッチと、前記スイッチからつながり複数に分岐する配線パターンと、前記配線パターンの支流先端にそれぞれ形成される複数の出力端子とを備える複数のプリント配線基板１１〜１３と、複数の電子部品２ａ〜２ｃと、各電子部品の入力端子（第１電子部品の入力端子２１ａ，第２電子部品の入力端子，第３電子部品の入力端子２１ｃ）とを一枚の基板上に実装した実装基板２０とを使用し、前記複数のプリント配線基板１１〜１３を積層することによって各配線パターン３ａ〜３ｃの支流先端に形成された複数の出力端子７ａ〜９ａ，７ｂ〜９ｂ，７ｃ〜９ｃを各配線パターン毎に重ねて配置し、前記プリント配線基板の複数の出力端子７ａ〜９ａ，７ｂ〜９ｂ，７ｃ〜９ｃと実装基板２０の入力端子２１ａ〜２１ｃをそれぞれ接続することによって、複数のスイッチ１ａ〜１ｃと複数の電子部品２ａ〜２ｃとをそれぞれ電気的に接続する。
【００１８】
図３に示す実施例では、第１スイッチ１ａと、当該スイッチから延びて３つに分岐する第１配線パターン３ａと、当該配線パターンの支流先端に形成された３つの出力端子（第１〜第３出力端子）７ａ，８ａ，９ａとを備える第１プリント配線基板１１と、第２スイッチ１ｂと、当該スイッチから延びて３つに分岐する第２配線パターン３ｂと、当該配線パターンの支流先端に形成された３つの出力端子（第１〜第３出力端子）７ｂ，８ｂ，９ｂとを備える第２プリント配線基板１２と、第３スイッチ１ｃと、当該スイッチから延びて３つに分岐する第３配線パターン３ｃと、当該配線パターンの支流先端に形成された３つの出力端子（第１〜第３出力端子）７ｃ，８ｃ，９ｃとを備える第３プリント配線基板１３とを使用し（図３（ａ）を参照）、第１〜第３プリント配線基板１１〜１３を積層することによって、前記３つのスイッチ（第１〜第３スイッチ）１ａ〜１ｃが並列配置されるとともに、各配線パターンの支流先端に形成された３つの出力端子７ａ〜９ａ，７ｂ〜９ｂ，７ｃ〜９ｃが、各配線パターン毎に重ねて配置されるように第１〜第３プリント配線基板１１〜１３を設計してある（図３（ｂ）を参照）。
【００１９】
そしてこの実施例でも、第１実施例と同様に、配線パターン毎に重ねて配置された第１〜第３出力端子７ａ〜９ａ，７ｂ〜９ｂ，７ｃ〜９ｃと、実装基板２０の各入力端子２１ａ〜２１ｃとをそれぞれ接続することによって、第１配線パターン３ａを介して第１スイッチ１ａと第１〜第３電子部品２ａ〜２ｃとを電気的に接続し、第２配線パターン３ｂを介して第２スイッチ１ｂと第１〜第３電子部品２ａ〜２ｃとを電気的に接続し、第３配線パターン３ｃを介して第３スイッチ１ｃと第１〜第３電子部品２ａ〜２ｃとを電気的に接続する。
【００２０】
そして、積層された第１〜第３プリント配線基板１１〜１３の各出力端子と実装基板２０の入力端子をそれぞれ接続することによって、３つのスイッチ（第１〜第３スイッチ）１ａ〜１ｃと３つの電子部品（第１〜第３電子部品）２ａ〜２ｃとをそれぞれ電気的に接続するとともに、３つに分岐した第１配線パターン３ａの支流にそれぞれ形成された第１打抜部４ａ，５ａ、６ａと、３つに分岐した第２配線パターン３ｂの支流にそれぞれ形成された第２打抜部４ｂ，５ｂ、６ｂと、３つに分岐した第３配線パターン３ｃの支流にそれぞれ形成された第３打抜部４ｃ，５ｃ、６ｃとを選択的に打抜き、各配線パターン３ａ〜３ｃの支流を選択的に断線させることによって、各スイッチ（第１〜第３スイッチ）１ａ〜１ｃと各電子部品（第１〜第３電子部品）２ａ〜２ｃとの組み合わせを任意に選択することができる。
【００２１】
さらに図４及び図５を参照して、この発明による第３実施例による配線基板を説明する。
この実施例では、複数の電子部品と、前記電子部品をＯＮ／ＯＦＦ制御するスイッチと、スイッチと電子部品とを電気的に接続する複数の配線パターンとを備え、各電子部品から延びる各配線パターンを複数に分岐させ複数のスイッチにそれぞれ接続するとともに、複数に分岐する各配線パターンの支流を選択的に断線させることによって、電気的に接続されるスイッチと電子部品との組み合わせを選択する配線基板において、複数の電子部品（第１〜第３電子部品２ａ〜２ｃ）と、前記各電子部品から延びる配線パターン（第１〜第３配線パターン３ａ〜３ｃ）と、前記各配線パターン３ａ〜３ｃの支流先端に形成される複数の入力端子（第１入力端子７ａ´〜７ｃ´，第２入力端子８ａ´〜８ｃ´，第３入力端子９ａ´〜９ｃ´）とを備えるプリント配線基板１０´と、複数のスイッチ１ａ〜１ｃと、各スイッチの出力端子（第１スイッチの出力端子２１ａ´，第２スイッチの出力端子２１ｂ´，第３スイッチの出力端子２１ｃ´）とを一枚の基板上に設けたスイッチ基板２０´とを使用し、前記プリント配線基板１０´の入力端子７ａ´〜９ａ´，７ｂ´〜９ｂ´，７ｃ´〜９ｃ´とスイッチ基板２０´の入力端子２１ａ´〜２１ｃ´とをそれぞれ接続することによって、複数のスイッチ１ａ〜１ｃと複数の電子部品２ａ〜２ｃとをそれぞれ電気的に接続する（図５を参照）。
【００２２】
この実施例によれば、各電子部品２ａ〜２ｃから延びて３つに分岐する各配線パターン３ａ〜３ｃを電子部品毎に並列配置したプリント配線基板１０´（図４（ａ）を参照）について、図１に示す第１実施例と同様にして、並列配置された各配線パターン３ａ〜３ｃの間にスリット１０ａ´を形成した後（図４（ｂ）を参照）、プリント配線基板１０´を折り曲げることによって、各配線パターン３ａ〜３ｃの支流先端にそれぞれ形成された第１〜第３入力端子７ａ´〜９ａ´，７ｂ´〜９ｂ´，７ｃ´〜９ｃ´を各配線パターン毎に重ねて配置した（図４（ｃ）を参照）。
【００２３】
そして図５に示すように、各配線パターン毎に重ねて配置されたプリント配線基板１０´の３つの第１入力端子７ａ´，７ｂ´，７ｃ´と、スイッチ基板２０´の第１出力端子（第１スイッチの出力端子）２１ａ´とを接続するとともに、前記プリント配線基板基板１０´の３つの第２入力端子８ａ´，８ｂ´，８ｃ´と、スイッチ基板２０´の第２出力端子（第２スイッチの出力端子）２１ｂ´とを接続し、前記プリント配線基板基板１０´の３つの第３入力端子９ａ´，９ｂ´，９ｃ´と、スイッチ基板２０´の第３出力端子（第３スイッチの出力端子）２１ｃ´とをそれぞれ接続することによって、第１配線パターン３ａを介して第１電子部品２ａと第１〜第３スイッチ１ａ〜１ｃとを電気的に接続し、第２配線パターン３ｂを介して第２電子部品２ｂと第１〜第３スイッチ１ａ〜１ｃとを電気的に接続し、第３配線パターン３ｃを介して第３電子部品２ｃと第１〜第３スイッチ１ａ〜１ｃとを電気的に接続した。
なおこの実施例でも、第１実施例と同様にして、３つに分岐した第１配線パターン３ａの支流にそれぞれ形成された第１打抜部４ａ，５ａ、６ａと、３つに分岐した第２配線パターン３ｂの支流にそれぞれ形成された第２打抜部４ｂ，５ｂ、６ｂと、３つに分岐した第３配線パターン３ｃの支流にそれぞれ形成された第３打抜部４ｃ，５ｃ、６ｃとを選択的に打抜き、各配線パターン３ａ〜３ｃの支流を選択的に断線させることによって、各スイッチ（第１〜第３スイッチ）１ａ〜１ｃと各電子部品（第１〜第３電子部品）２ａ〜２ｃとの組み合わせを任意に選択することができる。
【００２４】
続いて、図６を参照してこの発明の第４実施例を説明する。
この実施例では、１つの電子部品と、前記電子部品からつながり複数に分岐する配線パターンと、前記配線パターンの支流先端にそれぞれ形成される複数の入力端子とを備える複数のプリント配線基板１１´〜１３´と、複数のスイッチ１ａ〜１ｃと、各スイッチの出力端子（第１スイッチの出力端子２１ａ´，第２スイッチの出力端子２１ｂ´，第３スイッチの出力端子２１ｃ´）とを一枚の基板上に設けたスイッチ基板２０´とを使用し、前記複数のプリント配線基板１１´〜１３´を積層することによって各配線パターン３ａ〜３ｃの支流先端に形成された複数の入力端子７ａ´〜９ａ´，７ｂ´〜９ｂ´，７ｃ´〜９ｃ´）を各配線パターン毎に重ねて配置する。
そしてプリント配線基板１１´〜１３´（配線パターン３ａ〜３ｃ）毎に重ねて配置された第１〜第３入力端子７ａ´〜９ａ´，７ｂ´〜９ｂ´，７ｃ´〜９ｃ´と、３つのスイッチを設けたスイッチ基板２０´の３つの出力端子２１ａ´〜２１ｃ´とをそれぞれ接続することによって、３つの第１入力端子７ａ´，７ｂ´，７ｃ´と、スイッチ基板２０´の第１出力端子（第１スイッチの出力端子）２１ａ´とを接続するとともに、３つの第２入力端子８ａ´，８ｂ´，８ｃ´と、スイッチ基板２０´の第２出力端子（第２スイッチの出力端子）２１ｂ´とを接続し、３つの第３入力端子９ａ´，９ｂ´，９ｃ´と、スイッチ基板２０´の第３出力端子（第３スイッチの出力端子）２１ｃ´とをそれぞれ接続した。これによって、第１配線パターン３ａを介して第１電子部品２ａと第１〜第３スイッチ１ａ〜１ｃとが電気的に接続され、第２配線パターン３ｂを介して第２電子部品２ｂと第１〜第３スイッチ１ａ〜１ｃとが電気的に接続され、第３配線パターン３ｃを介して第３電子部品２ｃと第１〜第３スイッチ１ａ〜１ｃとが電気的に接続される。
【００２５】
なおこの実施例でも、第２実施例と同様にして、３つに分岐した第１配線パターン３ａの支流にそれぞれ形成された第１打抜部４ａ，５ａ、６ａと、３つに分岐した第２配線パターン３ｂの支流にそれぞれ形成された第２打抜部４ｂ，５ｂ、６ｂと、３つに分岐した第３配線パターン３ｃの支流にそれぞれ形成された第３打抜部４ｃ，５ｃ、６ｃとを選択的に打抜き、各配線パターン３ａ〜３ｃの支流を選択的に断線させることによって、各スイッチ（第１〜第３スイッチ）１ａ〜１ｃと各電子部品（第１〜第３電子部品）２ａ〜２ｃとの組み合わせを任意に選択することができる。
【図面の簡単な説明】
【００２６】
【図１】実装基板が接続されるプリント配線基板の実施例を示す図。
【図２】第１実施例による配線基板の説明図。
【図３】第２実施例による配線基板の説明図。
【図４】スイッチ基板が接続されるプリント配線基板の実施例を示す図
【図５】第３実施例による配線基板の説明図。
【図６】第４実施例による配線基板の説明図。
【図７】従来技術による配線基板の説明。
【符号の説明】
【００２７】
１ａ〜１ｃ    第１，第２，第３スイッチ
２ａ〜２ｃ    第１，第２，第３電子部品
３ａ〜３ｃ    第１，第２，第３配線パターン
４ａ，５ａ，６ａ    第１打抜部
４ｂ，５ｂ，６ｂ    第２打抜部
４ｃ，５ｃ，６ｃ    第３打抜部
７ａ，７ｂ，７ｃ    第１出力端子
８ａ，８ｂ，８ｃ    第２出力端子
９ａ，９ｂ，９ｃ    第３出力端子
１０，１１，１２，１３    プリント配線基板
１０ａ  スリット
２０    実装基板
２１ａ  第１入力端子
２１ｂ  第２入力端子
２１ｃ  第３入力端子
１０´，１１´，１２´，１３´    プリント配線基板
１０ａ´  スリット
２０´    スイッチ基板
７ａ´，７ｂ´，７ｃ´    第１入力端子
８ａ´，８ｂ´，８ｃ´    第２入力端子
９ａ´，９ｂ´，９ｃ´    第３入力端子
２１ａ´  第１出力端子
２１ｂ´  第２出力端子
２１ｃ´  第３出力端子
【図１】
2006261430.tif 000003
【図２】
2006261430.tif 000004
【図３】
2006261430.tif 000005
【図４】
2006261430.tif 000006
【図５】
2006261430.tif 000007
【図６】
2006261430.tif 000008
【図７】
2006261430.tif 000009